(57)【要約】      （修正有）【課題】様々な形状のサムターンに取り付けできる汎用性の高い扉開閉装置を提供する。【解決手段】略円筒形状の内部にサムターンを配置する円筒部材１３と略円柱形状の一の端面に溝形状の凹部を備え、円筒部材１３の内部に配置され、凹部にサムターンを挿入してサムターンを回転可能に保持するつまみ保持部材１１と、略円環形状であり、解錠または施錠動作時に円筒部材１３を回転する円環部材１２とを有し、つまみ保持部材１１と円環部材１２と円筒部材１３とは同一の中心軸の位置で配置され、つまみ保持部材１１は、略円柱形状の側面に、少なくとも１つの高さ調整用嵌込み部を備え、円筒部材１３は、複数の高さ調整用開口部を中心軸に平行する高さ方向に並べて配置され、サムターンの大きさに応じて、複数の高さ調整用開口部のうちのいずれかに、高さ調整用嵌込み部を挿入して、凹部にサムターンを配置する。【選択図】図２
0003219824.tif 000002
【実用新案登録請求の範囲】
【請求項１】
サムターンを縦または横に回転させて解錠または施錠する扉開閉装置であって、
略円筒形状の内部に前記サムターンを配置する円筒部材と、
略円柱形状の一の端面に溝形状の凹部を備え、前記円筒部材の内部に配置され、前記凹部に前記サムターンを挿入して、該サムターンを回転可能に保持するつまみ保持部材と、
略円環形状であり、前記円筒部材を内側に配置して、解錠または施錠動作時に該円筒部材を回転する円環部材と
を有し、
前記つまみ保持部材と、前記円環部材と、前記円筒部材とは同一の中心軸の位置で配置され、
前記つまみ保持部材は、略円柱形状の側面に、少なくとも１つの高さ調整用嵌込み部を備え、
前記円筒部材は、複数の高さ調整用開口部を前記中心軸に平行する高さ方向に並べて配置され、
前記サムターンに取り付け時に、該サムターンの大きさに応じて、複数の前記高さ調整用開口部のうちのいずれかに、前記高さ調整用嵌込み部を挿入して、前記凹部に前記サムターンを配置する、
ことを特徴とする扉開閉装置。
【請求項２】
前記円環部材は、該円環部材の端面に凸形状の回転伝達部を備え、
前記円筒部材は、略円筒形状の外側側面に、前記円環部材の回転を伝達される凸形状の回転受動部を備え、
解錠または施錠動作時に、前記円環部材を略９０度回転することによって、該円環部材の前記回転伝達部が前記円筒部材の前記回転受動部を回転方向に押し出して回転し、このとき前記円筒部材と一体的に前記つまみ保持部材が回転されて前記サムターンを回転し、
解錠または施錠動作の動作停止時に、前記円環部材が略９０度逆回転して停止する、
ことを特徴とする、請求項１に記載の扉開閉装置。
【請求項３】
前記円環部材を回転する駆動部を更に備え、
前記駆動部は通信手段を有し、前記通信手段で受信した信号に基づいて、前記円環部材を回転して、解錠または施錠する、
ことを特徴とする、請求項１または請求項２に記載の扉開閉装置。
【考案の詳細な説明】
【技術分野】
【０００１】
本考案は、鍵を使わず、サムターン（シリンダー錠の室内側に付ける金具）を縦または横に回転させて解錠または施錠する扉開閉装置に関する。
【背景技術】
【０００２】
鍵を使わずに、手動で扉の施錠・解錠するサムターン（シリンダー錠の室内側に付ける金具）が知られている。近年、防犯の観点から、サムターンを使用した扉（マニュアル式の鍵）の開錠から、カードや暗証番号入力により扉の開錠行う自動の扉開閉装置（電子錠）が注目されている。既設のマニュアル式の鍵に後付けで装着できる電子錠もあるが、後付けする場合の多くは扉に穴を開けたり、サムターンそのものを交換したりするような専門業者による設置工事が必要であった。特許文献１には、遠隔操作により扉を施錠又は開錠する電子錠であって、サムターンを回転させて前記扉を施錠又は開錠する第１の回転体と、前記第１の回転体に係合され、前記第１の回転体を回転動作させる駆動部と、把持部を有し、前記第１の回転体と係合され、前記第１の回転体を回転動作させる第２の回転体とを備え、前記第１の回転体は、前記駆動部と係合し、前記駆動部により回転駆動される第１の回転部材と、前記第１の回転部材及び前記第２の回転体と係合し、前記サムターンを回転させる第２の回転部材とを有し、前記第１の回転部材又は前記第２の回転部材の一方には、前記第１の回転体の回転方向に沿って溝が形成され、前記第１の回転部材又は前記第２の回転部材の他方には、前記溝に挿入される突起が形成されており、前記第２の回転部材は、前記第１の回転部材に対し、前記サムターンの回転方向に沿って所定角度だけ相対的に回転可能であることを特徴とする電子錠に関する技術を開示している。特許文献２には、サムターンを有する錠の開錠補助装置であって、前記サムターンを覆う凹部と、前記凹部内で前記サムターンのつまみを収容する収容部材と、前記収容部材を回転させる駆動部と、前記サムターンのサムターン胴と前記凹部の側面との間の間隙を前記側面の少なくとも一部において縮小させる前記凹部の調整部材とを備えることを特徴とする開錠補助装置に関する技術を開示している。
【先行技術文献】
【特許文献】
【０００３】
【特許文献１】特許第５８９２４３３号特許公報
【特許文献２】特開２０１６−１４５４８０号公報
【考案の概要】
【考案が解決しようとする課題】
【０００４】
しかしながら、特許文献１および特許文献２では、サムターンの形状によっては取り付けできない場合があった。様々な形状のサムターンに取り付けできる汎用性の高い扉開閉装置が求められている。
【０００５】
本考案は、鍵屋などの専門家以外でも取り付け可能な比較的簡素な構造で、様々な形状のサムターンに取り付けできる汎用性の高い扉開閉装置を提供することを目的とする。
【課題を解決するための手段】
【０００６】
上記課題を解決するために、本考案の一つの実施形態は、サムターンを縦または横に回転させて解錠または施錠する扉開閉装置であって、略円筒形状の内部に前記サムターンを配置する円筒部材と、略円柱形状の一の端面に溝形状の凹部を備え、前記円筒部材の内部に配置され、前記凹部に前記サムターンを挿入して、該サムターンを回転可能に保持するつまみ保持部材と、略円環形状であり、前記円筒部材を内側に配置して、解錠または施錠動作時に該円筒部材を回転する円環部材とを有し、前記つまみ保持部材と、前記円環部材と、前記円筒部材とは同一の中心軸の位置で配置され、前記つまみ保持部材は、略円柱形状の側面に、少なくとも１つの高さ調整用嵌込み部を備え、前記円筒部材は、複数の高さ調整用開口部を前記中心軸に平行する高さ方向に並べて配置され、前記サムターンに取り付け時に、該サムターンの大きさに応じて、複数の前記高さ調整用開口部のうちのいずれかに、前記高さ調整用嵌込み部を挿入して、前記凹部に前記サムターンを配置する、ことを特徴とする扉開閉装置を提供する。
【０００７】
本考案の他の実施形態は、上記の扉開閉装置であって、前記円環部材は、該円環部材の端面に凸形状の回転伝達部を備え、前記円筒部材は、略円筒形状の外側側面に、前記円環部材の回転を伝達される凸形状の回転受動部を備え、解錠または施錠動作時に、前記円環部材を略９０度回転することによって、該円環部材の前記回転伝達部が前記円筒部材の前記回転受動部を回転方向に押し出して回転し、このとき前記円筒部材と一体的に前記つまみ保持部材が回転されて前記サムターンを回転し、解錠または施錠動作の動作停止時に、前記円環部材が略９０度逆回転して停止する、ことを特徴とする扉開閉装置であってもよい。
【０００８】
本考案の他の実施形態は、上記の扉開閉装置であって、前記円環部材を回転する駆動部を更に備え、前記駆動部は通信手段を有し、前記通信手段で受信した信号に基づいて、前記円環部材を回転して、解錠または施錠する、ことを特徴とする扉開閉装置であってもよい。
【考案の効果】
【０００９】
本考案に係る扉開閉装置によれば、様々な形状のサムターンに取り付けることができる。
【図面の簡単な説明】
【００１０】
【図１】本考案の実施形態に係る扉開閉装置の一例（取り付け状態）を説明する説明図である。
【図２】本考案の実施形態に係る扉開閉装置の一例を示す分解図である。
【図３】本考案の実施形態に係る扉開閉装置のつまみ保持部材の一例を示す組立図である。
【図４】本考案の実施形態に係る扉開閉装置のつまみ保持部材の一例を示す説明図である。
【図５】本考案の実施形態に係る扉開閉装置の円環部材の一例を示す説明図である。
【図６】本考案の実施形態に係る扉開閉装置の円筒部材の一例を示す説明図である。
【考案を実施するための形態】
【００１１】
実施形態に係る扉開閉装置の例を用いて、本考案を説明する。なお、本考案は、以後に説明する扉開閉装置以外でも、サムターンを用いた戸（扉、開き戸、ドアなど）を自動で解錠または施錠するもの（システム、装置、部品、部材など）であれば、いずれのものにも用いることができる。なお、扉開閉装置および扉の色、形状は、特に限定されない。
【００１２】
以後に、本考案を説明する。
【００１３】
図１乃至図６を用いて、本考案の実施形態に係る扉開閉装置の構成を説明する。ここで、図１は、本考案の実施形態に係る扉開閉装置１００を扉ＤＲに取り付けた状態の一例を説明する説明図である。図２は、本考案の実施形態に係る扉開閉装置の一例を示す分解図である。図３（ａ）は、本考案の実施形態に係る扉開閉装置のつまみ保持部材１１の一例を示す組立図（外側からの斜視図）である。図３（ｂ）は、本考案の実施形態に係る扉開閉装置のつまみ保持部材１１の一例を示す組立図（取り付け面となるドア側からの斜視図）である。図４（ａ）は、本考案の実施形態に係る扉開閉装置のつまみ保持部材１１の一例を説明する斜視図である。図４（ｂ）は、本考案の実施形態に係る扉開閉装置のつまみ保持部材１１の一例を説明する正面図（外側からの図）である。図４（ｃ）は、本考案の実施形態に係る扉開閉装置のつまみ保持部材１１の一例を説明する側面図である。図４（ｄ）は、本考案の実施形態に係る扉開閉装置のつまみ保持部材１１の一例を説明する背面図（内側からの図）である。図５（ａ）は、本考案の実施形態に係る扉開閉装置の円環部材１２の一例を説明する斜視図である。図５（ｂ）は、本考案の実施形態に係る扉開閉装置の円環部材１２の一例を説明する背面図（内側からの図）である。図５（ｃ）は、本考案の実施形態に係る扉開閉装置の円環部材１２の一例を説明する側面図である。図６（ａ）は、本考案の実施形態に係る扉開閉装置の円筒部材１３の一例を説明する斜視図である。図６（ｂ）は、本考案の実施形態に係る扉開閉装置の円筒部材１３の一例を説明する正面図（外側からの図）である。図６（ｃ）は、本考案の実施形態に係る扉開閉装置の円筒部材１３の一例を説明する側面図である。図６（ｄ）は、本考案の実施形態に係る扉開閉装置の円筒部材１３の一例を説明する背面図（内側からの図）である。なお、図１等に示す扉開閉装置の構成等は一例であり、本考案は図１等に示す扉開閉装置等に限定されるものではない。
【００１４】
図１に示すように、本考案に係る扉開閉装置１００は、サムターン（シリンダー錠の室内側に付ける金具で、解錠および施錠するもの）を覆うように取り付け、使用者（通行人など）が鍵やドアノブＤｋを使わず、サムターンを縦または横に回転させて解錠および施錠するもの（システム、装置、部品、部材など）である。扉開閉装置は、使用者の指示に基づいて、自動でサムターンを回転し、解錠または施錠する。なお、本考案に係る扉開閉装置は、サムターンの形状を特に限定しない。本考案に係る扉開閉装置は、サムターンがつまみ持ち可能なものであれば、いずれのものにも対応することができる。
【００１５】
図２に示すように、本考案に係る扉開閉装置は、本実施形態では、略円筒形状の内部にサムターンを配置する円筒部材１３と、サムターンを回転可能に保持するつまみ保持部材１１と、解錠または施錠動作時に円筒部材１３を回転する円環部材１２とを有する。本考案に係る扉開閉装置は、つまみ保持部材１１の中心軸、円環部材１２の中心軸及び円筒部材１３の中心軸並びにサムターンの回転軸を同一の位置に配置し、つまみ保持部材１１の回転に従ってサムターンを回転する。これにより、本考案に係る扉開閉装置は、つまみ保持部材１１の中心軸、円環部材１２の中心軸及び円筒部材１３の中心軸並びにサムターンの回転軸を同一の位置に配置することができるので、専門家以外でも取り付けを容易にできる。
【００１６】
図２に示すように、本考案に係る扉開閉装置は、本実施形態では、サムターンを回転する駆動部１０と、扉開閉装置を収める筐体部材２１と、駆動部１０を制御する回路基板部材２２と、を更に備える。筐体部材２１は、電池などを内蔵してもよい。なお、本考案に係る駆動部１０、筐体部材２１および駆動部１０は、公知の技術を用いることができる。
【００１７】
図３（ａ）および図３（ｂ）に示すように、本考案に係る扉開閉装置は、解錠または施錠動作時に、円環部材１２を略９０度回転することによって円筒部材１３を回転して、円筒部材１３と一体的に連結したつまみ保持部材１１を回転する。これにより、本考案に係る扉開閉装置は、つまみ保持部材１１の回転に従って、サムターンを回転することができる。
【００１８】
図４（ａ）乃至図４（ｄ）に示すように、本考案に係る扉開閉装置のつまみ保持部材１１は、サムターンを回転可能に保持するものである。つまみ保持部材１１は、略円柱形状であり、円筒部材１３の内部に配置される。つまみ保持部材１１は、円筒部材１３（後述する図６（ａ）の凹型連結部１３Ａ）に挿入して、円筒部材１３と一体的に連結する凸型連結部１１Ａを備える。また、つまみ保持部材１１は、略円柱形状の側面に、少なくとも１つの高さ調整用嵌込み部１１Ｂを備える。つまみ保持部材１１は、高さ調整用嵌込み部１１Ｂを用いて、円筒部材１３と一体的に連結する際に、位置を調整することができる。また、つまみ保持部材１１は、略円柱形状の一の端面にサムターンを挿入して、サムターンを回転可能に保持する溝形状の凹部１１Ｃを備える。なお、凸型連結部１１Ａ、高さ調整用嵌込み部１１Ｂおよび凹部１１Ｃの形状および位置は、設計、実験、計算などで予め定められる形状とすることができる。
【００１９】
図５（ａ）乃至図５（ｃ）に示すように、本考案に係る扉開閉装置の円環部材１２は、解錠または施錠動作時に、サムターンを回転可能に保持した円筒部材１３（及びつまみ保持部材１１）を回転するものである。円環部材１２は、略円環形状であり、円筒部材１３を内側に配置する。円環部材１２は、円筒部材１３（後述する図６（ａ）の回転受動部１３Ｃ）を押し出して回転する回転伝達部１２Ａと、駆動部１０（後述する図２の伝達手段１０Ｇ）によって回転運動を伝達される回転歯車部１２Ｇと、を備える。回転伝達部１２Ａは、凸形状であり、円環部材１２の端面で対向する２箇所の位置に配置される。回転歯車部１２Ｇは、本実施形態では、歯車を用いる。なお、円環部材１２の回転伝達部１２Ａと回転歯車部１２Ｇの形状は、設計、実験、計算などで予め定められる形状とすることができる。
【００２０】
図６（ａ）乃至図６（ｄ）に示すように、本考案に係る扉開閉装置の円筒部材１３は、略円筒形状の内部にサムターンを配置するものである。円筒部材１３は、略円環形状であり、つまみ保持部材１１を内側に配置する。円筒部材１３は、凸型連結部１１Ａ（つまみ保持部材１１）と一体的に連結する凹型連結部１３Ａと、凸型連結部１１Ａ（つまみ保持部材１１）と一体的に連結する際に位置を調整する高さ調整用開口部１３Ｂと、円環部材１２（図５（ａ）の回転伝達部１２Ａ）によって押し出されて回転する回転受動部１３Ｃと、を備える。
【００２１】
本考案に係る扉開閉装置（円筒部材１３）は、中心軸に平行する高さ方向に並べて配置された複数の高さ調整用開口部１３Ｂを備える。扉開閉装置（円筒部材１３）は、サムターンに取り付け時にサムターンの大きさに応じて、複数の高さ調整用開口部１３Ｂのうちのいずれかに高さ調整用嵌込み部１１Ａを挿入して、凹部１１Ｃにサムターンを配置する。これにより、本考案に係る扉開閉装置によれば、サムターンの形状に対応してつまみ保持部材１１（凹部１１Ｃ）を配置することができるので、様々な形状のサムターンに取り付けできる。また、本考案に係る扉開閉装置によれば、サムターンの形状に対応してつまみ保持部材１１（凹部１１Ｃ）を配置することができるので、付属部品や追加部品、専用工事（専門家、専門工具）が無くても、扉のサムターンに対応することができ、汎用性が高い。
【００２２】
回転受動部１３Ｃは、凸形状であり、円筒部材１３の外側側面で対向する２箇所の位置に配置される。なお、円筒部材１３の凹型連結部１３Ａ、高さ調整用開口部１３Ｂおよび回転受動部１３Ｃの形状は、設計、実験、計算などで予め定められる形状とすることができる。
【００２３】
図２に示すように、本考案に係る扉開閉装置の駆動部１０は、サムターンの回転（解錠および施錠）するものである。駆動部１０は、本実施形態では、使用者に扉開閉装置の状態を表示する表示手段１０Ｅと、回転歯車部１２Ｇ（円環部材１２）を回転する伝達手段１０Ｇと、使用者（カードキーなど）と情報を通信する通信手段１０Ｗと、を備える。伝達手段１０Ｇは、本実施形態では、歯車を用いる。表示手段１０Ｅ、通信手段１０Ｗまたは筐体部材２１は、押すと解除できる手動ボタンなどをさらに備えてもよい。なお、本考案に係る駆動部１０の表示手段１０Ｅ、伝達手段１０Ｇおよび通信手段１０Ｗは、公知の技術を用いることができる。
【００２４】
図２に示すように、本考案に係る扉開閉装置の駆動部１０は、通信手段１０Ｗを用いて、通信手段１０Ｗで受信した信号（使用者の指示）に基づいて、円環部材１２（回転歯車部１２Ｇ）を回転する。これにより、本考案に係る扉開閉装置の駆動部１０は、サムターンを解錠および施錠することができる。また、本考案に係る扉開閉装置の駆動部１０は、解錠または施錠動作時に、円環部材１２を略９０度回転することによって、円環部材１２の回転伝達部１２Ａが円筒部材１３の回転受動部１３Ｃを回転方向に押し出して回転し、このとき円筒部材１３と一体的につまみ保持部材１１が回転されて、サムターンを回転する。その後、扉開閉装置の駆動部１０は、解錠または施錠動作の動作停止時に、円環部材１２が略９０度逆回転して、初期位置に戻って停止する。これにより、本考案に係る扉開閉装置は、円環部材１２が略９０度逆回転して停止することができるので、電池切れ等で自動で施錠や解錠ができない場合でも、サムターン（つまみ保持部材）を手動で操作して施錠および解錠することができる。
【００２５】
以上のとおり、本考案に係る扉開閉装置によれば、サムターンの形状に対応してつまみ保持部材１１（凹部１１Ｃ）を配置することができるので、扉そのものへの加工が不要であり、様々な形状のサムターンに取り付けすることができる。また、本考案に係る扉開閉装置によれば、サムターンの形状に対応してつまみ保持部材１１（凹部１１Ｃ）を配置することができるので、付属部品や追加部品、専用工事（専門家、専門工具）が無くても、扉のサムターンに対応することができ、汎用性が高い。また、本考案に係る扉開閉装置によれば、サムターンの形状に対応してつまみ保持部材１１（凹部１１Ｃ）を配置することができるので、鍵屋などの専門家以外でも取り付け可能な比較的簡素な構造で、駆動構造が簡単なため部品点数が少なく、生産コストを抑えることができ、価格を低減することができる。
【００２６】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２７】
１００  ：  扉開閉装置
１０  ：  駆動部
１０Ｅ：  表示手段
１０Ｇ：  伝達手段
１０Ｗ：  通信手段
１１  ：  つまみ保持部材
１１Ａ：  凸型連結部
１１Ｂ：  高さ調整用嵌込み部
１１Ｃ：  凹部
１２  ：  円環部材
１２Ａ：  回転伝達部
１２Ｇ：  回転歯車部
１３  ：  円筒部材
１３Ａ：  凹型連結部
１３Ｂ：  高さ調整用開口部
１３Ｃ：  回転受動部
２１  ：  筐体部材
２２  ：  回路基板部材
ＤＲ  ：  扉
Ｄｋ  ：  ドアノブ
【図１】
0003219824.tif 000003
【図２】
0003219824.tif 000004
【図３】
0003219824.tif 000005
【図４】
0003219824.tif 000006
【図５】
0003219824.tif 000007
【図６】
0003219824.tif 000008